(57)【要約】      （修正有）【課題】取り付け後長時間経っても、質量体のテンショナ駆動輪への力伝達がより均等であるシートベルトテンショナを提供する。【解決手段】少なくとも１つの質量体（４）が、ガスジェネレータ（１０）によって駆動可能であり、パイプ（１）を出るときに、力を伝達させる方法でテンショナ駆動輪に噛み合わされ、テンショニング方向にシートベルトリトラクタのベルトシャフトを駆動する。パイプが第１内径を有する受容セクション（５）を有し、初期状態にあるピストン（３）が、ガスジェネレータの点火前は初期状態の外径（８）で配置され、パイプが、受容セクションに隣接し、ピストンがガスジェネレータの点火後に駆動されることによって第２内径を有するガイドセクション（６）を有することを特徴とし、第２内径が第１内径より小さく、且つ、ピストンの初期状態の外径より小さい。【選択図】図１
2019142483.tif 000002
【特許請求の範囲】
【請求項１】
シートベルトリトラクタ用のシートベルトテンショナであって、
テンショナ駆動輪を有するパイプ（１）を有し、
前記パイプ（１）内に、点火式ガスジェネレータ（１０）と、ピストン（３）と、少なくとも１つの質量体（４）とが配置され、
前記少なくとも１つの質量体（４）が、前記ガスジェネレータ（１０）によって発生可能な圧力によって駆動可能であり、前記ガスジェネレータ（１０）と質量体（４）との間に配置された前記ピストン（３）に作用し、前記パイプ（１）を出るときに、力を伝達させる方法で前記テンショナ駆動輪に噛み合わされ得、そして、シートベルトに巻きつくテンショニング方向に前記シートベルトリトラクタのベルトシャフトを駆動させ、
前記パイプ（１）が第１内径（２）を有する受容セクション（５）を有し、初期状態にある前記ピストン（３）は前記ガスジェネレータ（１０）の点火前には初期状態の外径（８）で配置され、
前記パイプ（１）が、前記受容セクション（５）に隣接し、前記ピストン（３）が前記ガスジェネレータ（１０）の前記点火後に駆動されることによって第２内径（７）を有するガイドセクション（６）を有することを特徴とし、
前記第２内径（７）が、前記第１内径（２）より小さく、前記ピストン（３）の前記初期状態の外径（８）より小さい、シートベルトテンショナ。
【請求項２】
助走スロープ（９）が、前記受容セクション（５）と前記ガイドセクション（６）との間の前記パイプ（１）の内側に形成される、請求項１に記載のシートベルトテンショナ。
【請求項３】
初期状態にある前記ピストン（３）がばね（１１）に当接する、請求項１または２に記載のシートベルトテンショナ。
【発明の詳細な説明】
【技術分野】
【０００１】
本発明は、シートベルトリトラクタ用のシートベルトテンショナに関し、シートベルトテンショナは、テンショナ駆動輪を有するパイプを有し、そのパイプ内に点火式ガスジェネレータと、ピストンと、少なくとも１つの質量体とが配置され、少なくとも１つの質量体は、ガスジェネレータによって発生可能な圧力によって駆動可能であり、ガスジェネレータと質量体との間に配置されたピストンに作用し、パイプを出るとき、力を伝達させる方法でテンショナ駆動輪に噛み合わされ得、そして安全ベルトに巻きつくテンショニング方向にシートベルトリトラクタのベルトシャフトを駆動させ、パイプは、第１内径を有する受容セクションを有し、初期状態にあるピストンがガスジェネレータの点火前の初期状態径で配置される。
【背景技術】
【０００２】
上述の特徴を有するシートベルトテンショナは、ＤＥ  １０  ２００９  ０４９  ５７６  Ａ１から周知である。ピストンをパイプの内面に対して密封するために、ピストンは、パイプ内での取り付け前は、パイプの受容セクションの第１内径よりも大きい外径を有する。取り付け中は、ピストンはパイプの受容セクション内に押され、したがって、ピストンを径方向に弾性且つ塑性変形させる。テンショニングプロセス中の、質量体のテンショナ駆動輪への力伝達は、シートベルトテンショナが長時間後および温度変動後に始動されるときには特に、一時的に、全体的に均等ではないことが明らかにされてきた。
【０００３】
そのため、本発明によって解決する問題は、先行技術に関して記載された不利点をなくすことであり、取り付け後長時間経っても、質量体のテンショナ駆動輪への力伝達がより均等であるシートベルトテンショナを提供することである。
【０００４】
本問題は、独立クレームの特徴を有するシートベルトテンショナによって解決される。シートベルトテンショナの有利な発展が、独立クレームと本説明において開示され、有利な発展の個々の特徴は、技術的に意味のある方法で、可能な任意の方法で組み合わせ可能である。
【０００５】
本問題は特に、初めに記載した特徴を有するシートベルトテンショナによって解決され、パイプは、受容セクションに隣接し、ピストンがガスジェネレータの点火後に駆動されることによって第２内径を有するガイドセクションを有し、第２内径は第１内径より小さく、且つ、ピストンの初期状態の外径より小さい。
【０００６】
その基本原則として、本発明はさらに、受容セクションを有するパイプが、取り付け後にはピストンが塑性変形しないか、またはほんのわずかだけ塑性変形する範囲を有することと、ピストンが、始動されると、加圧ガスによってパイプのガイドセクション内に移動し、そのピストンは、第２内径が初期状態の第１外径に対してより小さいため、比較的高い径方向力でパイプの内面に密封当接することと、をもたらす。ピストンは、取り付け後は塑性変形しないため、ピストンはガイドセクション内でパイプの内壁に対してより確実に当接する。結果として、ピストンがガイドセクションによって駆動されるときに加圧ガスがピストンに沿って逃げるのを防止する。さらに、ピストンとパイプとの間の密封、さらにテンショナ駆動輪への力伝達も、均等化される。
【０００７】
ある実施形態では、第１内径は、取り付け前にピストンの外周径よりも大きくてもよい。ただし、第１内径は、まだ取り付けられていないピストンの外周径と同一サイズであることが好ましい。ただし、第１内径が０．４ｍｍ（ミリメートル）未満であり、０．２ｍｍ未満であることが好ましく、取り付け前のピストンの外径よりも小さい、とされてもよい。そのような事例では、取り付け後のピストンは、そうであったとしても最小限までのみ、主に弾性および塑性変形する。
【０００８】
第２内径は特に少なくとも２％、好ましくは少なくとも３％、第１内径より小さい。絶対値では、第２内径は、少なくとも０．２ｍｍ、好ましくは少なくとも０．４ｍｍ、特に好ましくは少なくとも０．６ｍｍ、第１内径より小さい。
【０００９】
受容セクションからガイドセクションへ移動中のピストンが、パイプの内側に対して均等に当接することを確実にするため、助走スロープ（ｒｕｎ−ｕｐ  ｓｌｏｐｅ）が受容セクションとガイドセクションとの間のパイプの内側に形成され、パイプの内径は、パイプの拡張方向に沿って均等に減少する。この移行範囲は、特に１０ｍｍ未満の長さ、好ましくは５ｍｍ未満の長さを有する。
【００１０】
ピストンは容易に移動可能な方法で受容セクション内に配置されるため、シートベルトテンショナのガタつき防止がより容易に実現され得る。その目的のため、初期状態にあるピストンは、特にガスジェネレータとピストンとの間に配置されたばねに当接し、ピストンを予め質量体の方向に引っ張る。さらに、はめ込む力もまた、低減される。
【００１１】
その、質量体から離れて対向している後ろ側では特に、ピストンはパイプの内側に当接する、径方向に突出した密封リップを有する。そのようなピストンは、例えば、ＤＥ  １０  ２００９  ０４９  ５７６  Ａ１から周知である。
【図面の簡単な説明】
【００１２】
以下では、本発明および本技術環境は、図面を使用して、例として説明される。
【００１３】
【図１】図１は、シートベルトテンショナの一部を図式化して示す。
【図２】図２は、シートベルトテンショナのパイプを通しての横断面図を図式化して示す。
【発明を実施するための形態】
【００１４】
図面は、シートベルトテンショナのパイプ１の一部を示す。パイプ１は、第１内径２を有する受容セクション５と、第２径７を有する隣接ガイドセクション６とを備える。助走スロープ９は、受容セクション５とガイドセクション６との間に形成される。
【００１５】
図面の左に示される端部では、ガスジェネレータ１０がパイプ１に配置される。初期状態では、ピストン３は、初期状態の外径８を有し、受容セクション５に配置される。ピストン３は、ガスジェネレータ１０の方向に、ばね１１によって支持される。ガスジェネレータ１０の反対に位置するピストン３の側面には、質量体４が配置される。始動させると、ピストン３は、ガスジェネレータ１０によって発生される加圧ガスによって駆動され、結果として、質量体４がパイプ１を通って移動する。
【００１６】
第１内径２は基本的に、それが受容セクション５に取り付けられる前はピストン３の外径に一致する。したがって、その初期状態では、ピストン３は、径方向には塑性変形しない。第２内径７は第１内径２より小さく、且つ、ピストン３の初期状態の外径８より小さいため、ガイドセクション６を通って進入し、ガイドセクション６を通過するとき、ピストン３は、確実に密閉できる方法でガイドセクション６の内側に当接し、よって、パイプ１を出る質量体４からテンショナ駆動輪へ均等な力伝達がもたらされる。
【符号の説明】
【００１７】
１  パイプ
２  第１内径
３  ピストン
４  質量体
５  受容セクション
６  ガイドセクション
７  第２内径
８  初期状態の外径
９  助走スロープ
１０  ガスジェネレータ
１１  ばね
【図１】
2019142483.tif 000003
【図２】
2019142483.tif 000004
【外国語明細書】
2019142483.tif 000005
2019142483.tif 000006
2019142483.tif 000007
2019142483.tif 000008
2019142483.tif 000009
2019142483.tif 000010
2019142483.tif 000011
2019142483.tif 000012
2019142483.tif 000013